【手続補正書】
【提出日】平成29年12月6日(2017.12.6)
【手続補正１】
【補正対象書類名】特許請求の範囲
【補正対象項目名】全文
【補正方法】変更
【補正の内容】
【特許請求の範囲】
【請求項１】
通信機器であって、
前記通信機器が認証サーバを備える認証ネットワークに所属している場合に、前記通信機器が、前記通信機器によって形成されるべき無線ネットワークの親局として動作するための所定処理を実行した後に、第１の外部機器との無線接続を確立して、前記通信機器が前記親局として動作すると共に前記第１の外部機器が子局として動作する前記無線ネットワークを形成し、前記通信機器が前記認証ネットワークに所属していない場合に、前記所定処理を実行せずに、前記第１の外部機器との無線接続を確立する第１の確立部と、
前記通信機器が前記認証ネットワークに所属している状況で前記第１の外部機器から第１の認証情報が受信される場合に、前記認証ネットワークを利用して、前記第１の認証情報を前記認証サーバに送信する第１の認証情報送信部と、
前記認証サーバにおいて、前記第１の認証情報を利用した前記第１の外部機器の認証が成功する場合に、前記認証ネットワークに所属している特定機器と、前記無線ネットワークの前記子局として動作する前記第１の外部機器と、の間の通信を中継し、前記認証サーバにおいて、前記第１の認証情報を利用した前記第１の外部機器の認証が失敗する場合に、前記特定機器と前記第１の外部機器との間の通信を中継しない第１の中継部と、を備える通信機器。
【請求項２】
前記通信機器は、さらに、
前記第１の外部機器から第１の接続要求信号が受信される場合に、前記通信機器が前記認証ネットワークに所属しているのか否かを判断する判断部を備え、
前記第１の確立部は、
前記通信機器が前記認証ネットワークに所属していると判断される場合に、前記所定処理を実行した後に、前記第１の外部機器との無線接続を確立し、
前記通信機器が前記認証ネットワークに所属していないと判断される場合に、前記所定処理を実行せずに、前記第１の外部機器との無線接続を確立する、請求項１に記載の通信機器。
【請求項３】
前記通信機器は、さらに、
前記通信機器が前記認証ネットワークに所属しており、かつ、前記通信機器が前記親局として動作すると共に前記第１の外部機器が前記子局として動作する前記無線ネットワークが形成されている状況で、前記第１の外部機器とは異なる第２の外部機器から第２の接続要求信号が受信される場合に、前記第２の外部機器との無線接続を確立して、前記第２の外部機器を前記子局として前記無線ネットワークに参加させる第２の確立部と、
前記通信機器が前記認証ネットワークに所属している状況で前記第２の外部機器から第２の認証情報が受信される場合に、前記認証ネットワークを利用して、前記第２の認証情報を前記認証サーバに送信する第２の認証情報送信部と、
前記認証サーバにおいて、前記第２の認証情報を利用した前記第２の外部機器の認証が成功する場合に、前記認証ネットワークに所属している前記特定機器と、前記無線ネットワークの前記子局として動作する前記第２の外部機器と、の間の通信を中継し、前記認証サーバにおいて、前記第２の認証情報を利用した前記第２の外部機器の認証が失敗する場合に、前記特定機器と前記第２の外部機器との間の通信を中継しない第２の中継部と、を備える、請求項１又は２に記載の通信機器。
【請求項４】
前記第１の認証情報は、前記無線ネットワークが形成された後に、前記無線ネットワークを介して、前記第１の外部機器から受信される、請求項１から３のいずれか一項に記載の通信機器。
【請求項５】
前記通信機器が前記認証ネットワークに所属していると判断される場合に実行される前記所定処理は、前記通信機器の動作状態を、親局状態及び子局状態とは異なる状態から自発的に前記親局状態に移行させて、前記親局として動作する前記通信機器のみが所属している前記無線ネットワークを形成する処理を含み、
前記第１の確立部は、前記親局として動作する前記通信機器のみが所属している前記無線ネットワークが形成された後に、前記第１の外部機器との前記無線接続を確立して、前記第１の外部機器を前記子局として前記無線ネットワークに参加させる、請求項１から４のいずれか一項に記載の通信機器。
【請求項６】
前記第１の確立部は、前記親局として動作する前記通信機器のみが所属している前記無線ネットワークが形成された後に、前記無線ネットワークに招待するための招待信号を前記第１の外部機器に送信して、前記第１の外部機器との前記無線接続を確立する、請求項５に記載の通信機器。
【請求項７】
前記通信機器は、さらに、
前記第１の外部機器から第１の接続要求信号が受信される場合に、前記通信機器が前記認証ネットワークに所属しているのか否かを判断する判断部を備え、
前記第１の確立部は、
前記通信機器が前記認証ネットワークに所属していると判断される場合に、前記所定処理を実行した後に、前記第１の外部機器との無線接続を確立し、
前記通信機器が前記認証ネットワークに所属していないと判断される場合に、前記所定処理を実行せずに、前記第１の外部機器との無線接続を確立し、
前記第１の接続要求信号は、前記第１の外部機器に予め記憶されている所定の設定値を含み、
前記通信機器は、さらに、
前記通信機器が前記親局及び前記子局のうちのどちらとして動作すべきかを決定するための動作決定処理で利用されるべき第１の設定値を予め記憶しているメモリと、
前記通信機器が前記認証ネットワークに所属していないと判断される場合に、前記第１の接続要求信号に対する第１の応答信号であって、前記メモリ内の前記第１の設定値を含む前記第１の応答信号を前記第１の外部機器に送信する第１の応答送信部と、
前記通信機器が前記認証ネットワークに所属していないと判断される場合に、前記メモリ内の前記第１の設定値と、前記第１の接続要求信号内の前記所定の設定値と、を比較して、前記動作決定処理を実行する第１の動作決定処理実行部と、を備える請求項１から６のいずれか一項に記載の通信機器。
【請求項８】
前記通信機器は、さらに、
前記第１の外部機器から第１の接続要求信号が受信される場合に、前記通信機器が前記認証ネットワークに所属しているのか否かを判断する判断部を備え、
前記第１の確立部は、
前記通信機器が前記認証ネットワークに所属していると判断される場合に、前記所定処理を実行した後に、前記第１の外部機器との無線接続を確立し、
前記通信機器が前記認証ネットワークに所属していないと判断される場合に、前記所定処理を実行せずに、前記第１の外部機器との無線接続を確立し、
前記第１の接続要求信号は、前記第１の外部機器に予め記憶されている所定の設定値を含み、
前記通信機器は、さらに、
前記通信機器が前記親局及び前記子局のうちのどちらとして動作すべきかを決定するための動作決定処理で利用されるべき第１の設定値を予め記憶しているメモリと、
前記通信機器が前記認証ネットワークに所属していないと判断される場合に、前記第１の接続要求信号に対する第１の応答信号であって、前記メモリ内の前記第１の設定値を含む前記第１の応答信号を前記第１の外部機器に送信する第１の応答送信部と、
前記通信機器が前記認証ネットワークに所属していないと判断される場合に、前記メモリ内の前記第１の設定値と、前記第１の接続要求信号内の前記所定の設定値と、を比較して、前記動作決定処理を実行する第１の動作決定処理実行部と、を備え、
前記通信機器が前記認証ネットワークに所属していると判断される場合に実行される前記所定処理は、前記第１の設定値とは異なる第２の設定値であって、前記第１の接続要求信号内の前記所定の設定値よりも前記通信機器が前記親局として動作すべきことが決定され易い前記第２の設定値を特定する処理を含み、
前記通信機器は、さらに、
前記通信機器が前記認証ネットワークに所属していると判断される場合に、前記第１の接続要求信号に対する第２の応答信号であって、特定済みの前記第２の設定値を含む前記第２の応答信号を前記第１の外部機器に送信する第２の応答送信部と、
前記通信機器が前記認証ネットワークに所属していると判断される場合に、特定済みの前記第２の設定値と、前記第１の接続要求信号内の前記所定の設定値と、を比較して、前記通信機器が前記親局として動作すべきことを決定する前記動作決定処理を実行する第２の動作決定処理実行部と、を備える、請求項１から４のいずれか一項に記載の通信機器。
【請求項９】
前記通信機器は、さらに、
前記無線ネットワークが形成されている状況で、前記無線ネットワークを利用して、認証情報を入力するための入力画面を表わす入力画面データを前記第１の外部機器に送信する入力画面データ送信部を備え
前記第１の認証情報は、前記第１の外部機器のユーザによって前記入力画面に入力される認証情報である、請求項１から８のいずれか一項に記載の通信機器。
【請求項１０】
前記第１の認証情報は、
前記第１の外部機器のユーザによって認証実行指示が前記第１の外部機器に入力される場合に、前記第１の外部機器から受信され、
前記認証実行指示が前記ユーザによって前記第１の外部機器に入力されない場合に、前記第１の外部機器から受信されない、請求項１から９のいずれか一項に記載の通信機器。
【請求項１１】
前記通信機器は、さらに、
前記第１の外部機器から第１の接続要求信号が受信される場合に、前記通信機器が前記認証ネットワークに所属しているのか否かを判断する判断部を備え、
前記第１の確立部は、
前記通信機器が前記認証ネットワークに所属していると判断される場合に、前記所定処理を実行した後に、前記第１の外部機器との無線接続を確立し、
前記通信機器が前記認証ネットワークに所属していないと判断される場合に、前記所定処理を実行せずに、前記第１の外部機器との無線接続を確立し、
前記通信機器は、さらに、
第１のインターフェースと、
前記第１のインターフェースとは異なる第２のインターフェースと、を備え、
前記第１の接続要求信号は、前記第１の外部機器から前記第２のインターフェースを介して受信され、
前記判断部は、
前記第１のインターフェースがリンクアップしており、かつ、前記認証サーバにおける前記通信機器の認証が成功済みであることを示す成功情報が前記通信機器のメモリに記憶されている場合に、前記通信機器が前記認証ネットワークに所属していると判断し、
前記第１のインターフェースがリンクアップしていない場合に、前記通信機器が前記認証ネットワークに所属していないと判断し、
前記成功情報が前記メモリに記憶されていない場合に、前記通信機器が前記認証ネットワークに所属していないと判断する、請求項１から１０のいずれか一項に記載の通信機器。
【請求項１２】
通信機器のためのコンピュータプログラムであって、
前記通信機器に搭載されるコンピュータに、以下の各処理、即ち、
前記通信機器が認証サーバを備える認証ネットワークに所属している場合に、前記通信機器が、前記通信機器によって形成されるべき無線ネットワークの親局として動作するための所定処理を実行した後に、第１の外部機器との無線接続を確立して、前記通信機器が前記親局として動作すると共に前記第１の外部機器が子局として動作する前記無線ネットワークを形成し、前記通信機器が前記認証ネットワークに所属していない場合に、前記所定処理を実行せずに、前記第１の外部機器との無線接続を確立する第１の確立処理と、
前記通信機器が前記認証ネットワークに所属している状況で前記第１の外部機器から第１の認証情報が受信される場合に、前記認証ネットワークを利用して、前記第１の認証情報を前記認証サーバに送信する第１の認証情報送信処理と、
前記認証サーバにおいて、前記第１の認証情報を利用した前記第１の外部機器の認証が成功する場合に、前記認証ネットワークに所属している特定機器と、前記無線ネットワークの前記子局として動作する前記第１の外部機器と、の間の通信を中継し、前記認証サーバにおいて、前記第１の認証情報を利用した前記第１の外部機器の認証が失敗する場合に、前記特定機器と前記第１の外部機器との間の通信を中継しない第１の中継処理と、
を実行させるコンピュータプログラム。